(57)【要約】【課題】表示器が接続するポールが伸縮自在である場合には、ポールの直下位置には表示器と本体とを接続するケーブルが垂れ下がるためのスペースが必要となる。そこで、このスペースを不要にすることで、商品販売データ処理装置の本体の薄型化を実現する。【解決手段】情報を表示する表示器１２１と、一端が表示器１２１に接続し他端が商品販売データ装置の本体に接続する伸縮自在な筒状のポール１５１と、ポール１５１の内側に配置されて、一端が表示器１２１に接続し他端が本体に接続するスパイラル状のケーブル１６５と、を備える。【選択図】図３
2010113411.tif 000002
【特許請求の範囲】
【請求項１】
情報を表示する表示器と、
一端が前記表示器に接続し他端が商品販売データ装置の本体に接続する伸縮自在な筒状のポールと、
前記ポールの内側に配置されて、一端が前記表示器に接続し他端が前記本体に接続するスパイラル状のケーブルと、
を備える表示ユニット。
【請求項２】
前記ケーブルが形成するスパイラルの外径は、前記ポールの内径よりも小さい、
請求項１記載の表示ユニット。
【請求項３】
前記ポールは、
前記本体に接続するアウターポールと、
前記アウターポールの内径よりも小さい外径を有して前記表示器に接続するインナーポールと、
を備える請求項１又は２記載の表示ユニット。
【請求項４】
ケーブルは、
２以上のインナーケーブルと、
スパイラル状に成形されて全ての前記インナーケーブルを被覆するアウターケーブルと、
を備える請求項１ないし３のいずれか一記載の表示ユニット。
【請求項５】
商品販売データ処理実行のためのユーザインターフェースと当該ユーザインターフェースを配置する本体とを有する本体ユニットと、
前記ポールの伸縮方向を前記本体ユニットの高さ方向にして当該本体ユニットに配置される請求項１ないし４のいずれか一記載の表示ユニットと、
を備える商品販売データ処理装置。
【請求項６】
前記ポールが最も縮んだ縮状態における前記表示ユニットの全高は、前記本体ユニットの全高と略同程度となる、
請求項５記載の商品販売データ処理装置。
【発明の詳細な説明】
【技術分野】
【０００１】
本発明は、客用表示器等の表示器を有する表示ユニット、及び、この表示ユニットを備えるＰＯＳ端末等の商品販売データ処理装置に関する。
【背景技術】
【０００２】
従来、ＰＯＳ端末には、オペレータに向けて情報を表示するオペレータ用表示器の他に、取引中の顧客に向けて情報を表示する客用表示器が設けられている。客用表示器の多くは、装置本体の上面から延びるポールの上端に取り付けられており、また、ポールは伸縮自在（特許文献１参照）となっていることが多い。
【０００３】
【特許文献１】特開平８−１５２３５４号公報
【発明の開示】
【発明が解決しようとする課題】
【０００４】
図６は、従来のＰＯＳ端末１の一部を示す模式図である。ＰＯＳ端末１の本体２の上面には、客用表示器３が取り付けられた伸縮自在なポール４が接続されている。ポール４の内部には、本体２と客用表示器３とを電気的に接続するストレート状のケーブル５が配置されている。図６（ａ）は、ポール４が最も伸びた伸状態である。ケーブル５の長さは、ポール４の全長と同程度である。図６（ｂ）は、ポール４が最も縮んだ縮状態である。このとき、ポール４が短くなるため、ポール４の全長と同程度のケーブル５の一部は、ポール４の直下位置に垂れ下がる。つまり、本体２におけるポール４の直下位置には、ケーブル５が垂れ下がるためのスペースＳを設ける必要がある。スペースＳには、ＰＯＳ端末１の各部を配置することができない。
【０００５】
ところで近年、省スペースや自由なレイアウト等の要請から、ＰＯＳ端末１の本体２の薄型化が進んでいる。本体２を薄型化すると本体２全体のスペースが減少するため、それまではスペースＳ以外に配置されていた各部を、スペースＳに配置しなければならなくなる。すると、ポール４の直下位置のスペースＳには、ケーブル５が垂れ下がることができなくなってしまう。
【０００６】
本発明は、以上の点を鑑みてなされたものであり、本体の薄型化を実現することを目的とする。
【課題を解決するための手段】
【０００７】
本発明の表示ユニットは、情報を表示する表示器と、一端が前記表示器に接続し他端が商品販売データ装置の本体に接続する伸縮自在な筒状のポールと、前記ポールの内側に配置されて、一端が前記表示器に接続し他端が前記本体に接続するスパイラル状のケーブルと、を備える。
【０００８】
本発明の商品販売データ処理装置は、商品販売データ処理実行のためのユーザインターフェースと当該ユーザインターフェースを配置する本体とを有する本体ユニットと、前記ポールの伸縮方向を前記本体ユニットの高さ方向にして当該本体ユニットに配置される上記表示ユニットと、を備える。
【発明の効果】
【０００９】
本発明によれば、スパイラル状のケーブルが、ポールの伸縮に伴ってポール内で伸縮するため、ケーブルはポールの直下位置に垂れ下がることはなく、本体にはケーブルが垂れ下がるためのスペースは必要とされない。これにより、ポールの直下位置にも各部を配置することができ、本体の薄型化を実現することができる。
【発明を実施するための最良の形態】
【００１０】
本発明の実施の形態について図１ないし図５に基づいて説明する。本実施の形態の商品販売データ処理装置は、ＰＯＳ端末１０１への適用例である。
【００１１】
図１は、ＰＯＳ端末１０１を示す側面図である。ＰＯＳ端末１０１は、薄型の本体１１１を主体に構成されている。本体１１１の上面は、背面側（図１中右側）から正面側（図１中左側）に向けて傾斜している。本体１１１は、その内側及び外側に、ＰＯＳ端末１０１の各部を配置する。
【００１２】
本体１１１の上面には、キーボード１１２が設けられている。キーボード１１２は、ＰＯＳ端末１０１の正面と正対するペレータ（図示せず）が操作するため、オペレータ側に寄せた位置に配置されている。本体１１１の上面の略中央位置には、キーボード１１２を操作するオペレータに向けて情報を表示するオペレータ用表示器１１３がティルト自在に設けられている。オペレータ用表示器１１３をティルトさせる機構については説明を省略する。
【００１３】
本体１１１に内蔵された制御部（図示せず）は、キーボード１１２の操作に応じて、商品の合計金額を算出する等の商品販売データ処理を実行する。この処理中、本体１１１に内蔵された制御部は、商品名、単価等の情報をオペレータ用表示器１１３に表示させる。つまり、キーボード１１２とオペレータ用表示器１１３とは、商品販売データ処理実行のためのユーザインターフェースである。このようなユーザインターフェースと本体１１１とを併せて本体ユニット１１０と呼ぶ。
【００１４】
オペレータ用表示器１１３よりも背面側に寄せた位置には、顧客に対して情報を表示する表示器としての客用表示器１２１が設けられている。本体１１１に内蔵された制御部は、商品販売データ処理中に客用表示器１２１に商品単価等の情報を表示させる。客用表示器１２１は、一例として、蛍光表示管によって情報を表示する。客用表示器１２１は、円筒状のポール１５１の上端に接続している。ポール１５１の下端は、本体１１１に接続している。ポール１５１は、本体ユニット１１０の高さ方向に伸縮自在であり、図１には、最も縮んだ状態（縮状態）のポール１５１が示されている。以下の説明では、客用表示器１２１及びポール１５１を併せて客用表示ユニット２０１と呼ぶ。
【００１５】
ポール１５１が縮状態である場合には、図１に示すように、客用表示器１２１の上端の高さは、オペレータ用表示器１１３との上端の高さと略同程度となる。つまり、ポールが最も縮んだ縮状態における客用表示ユニット２０１の全高は、本体ユニット１１０の全高と略同程度となる。よって、客用表示ユニット２０１は、その高さによってＰＯＳ端末１０１の薄型化を妨害しない。
【００１６】
図２は、客用表示ユニット２０１を示す斜視図である。図３は、客用表示ユニット２０１を示す分解斜視図である。
【００１７】
ポール１５１は、二重構造を有している。つまり、ポール１５１は、外側のアウターポール１７１と、アウターポール１７１よりも径の小さい内側のインナーポール１６１とを有する。
【００１８】
アウターポール１７１の下端は、本体１１１の一部となるポールベース１８１と一体となっている。ポールベース１８１が本体１１１に対して着脱自在に取り付けられることにより、ポール１５１は本体１１１に接続される。ポールベース１８１は、側方から見てＬ字を形成しており、本体１１１の上面の一部となる上面部１８１ａと、本体１１１の背面の一部となる背面部１８１ｂとを有する。
【００１９】
アウターポール１７１の上端には、他の部位よりも内径が細い細径部１７２が設けられている。細径部１７２は、上端に向かうに従い内側に僅かに傾斜する四枚の板状部材によって構成されている。
【００２０】
インナーポール１６１は、図３に示すように、縦方向に二分割可能となっている。つまり、インナーポール１６１は、それぞれハーフパイプ形状のポールフロント１６１ａとポールバック１６１ｂとを有する。ポールフロント１６１ａとポールバック１６１ｂとは、重なり合って周知の着脱機構によって着状態となることにより、円筒形状を形成する。インナーポール１６１の下端には、他の部位よりも外径が太い太径部１６２が設けられている。他方、インナーポール１６１の上端には、他の部位よりも細い細径部１６３が設けられている。
【００２１】
インナーポール１６１は、複数の巻部分を有するスパイラル状のケーブル１６５を内包する。ケーブル１６５のスパイラル部分の長さは、インナーポール１６１の長さと同程度である。また、ケーブル１６５のスパイラル部分の外径は、インナーポール１６１の内径よりもわずかに小さくなっている。本実施の形態のケーブル１６５は、２本のインナーケーブル１６７（図４及び図５参照）が、スパイラル状に成形されたアウターケーブル１６６に密着状態で被覆されて構成されている。
【００２２】
スパイラル状のケーブル１６５を内包するようにポールフロント１６１ａとポールバック１６１ｂとを重ねて円筒状のインナーポール１６１とした後に、インナーポール１６１の細径部１６３にリング部材１６４を装着する。そして、このインナーポール１６１を、ポールベース１８１側からアウターポール１７１へと挿入する。
【００２３】
アウターポール１７１へと挿入されたインナーポール１６１は、細径部１７２から突出する。このとき、インナーポール１６１は、内側に向けて傾斜する細径部１７２によって押圧される。細径部１７２による押圧力は、インナーポール１６１を外力の付与によって抜き差しできる程度の力であり、かつ、外力の付与を停止させると摩擦によってインナーポール１６１を任意位置に位置保持可能な力である。こうして、インナーポール１６１とアウターポール１７１とを有するポール１５１は伸縮自在となっている。もっとも、アウターポール１７１の細径部１７２はインナーポール１６１の太径部１６２よりも細いため、インナーポール１６１は抜け止めされる。インナーポール１６１が抜け止めされた状態が、ポール１５１が最も伸びた状態（伸状態）となる。
【００２４】
そして、アウターポール１７１の細径部１７２には、上方に向けて細くなる筒状のアジャスタ１８５が装着され、アジャスタ１８５が装着された細径部１７２から突出したインナーポール１６１の細径部１６３には、客用表示器１２１を保持する表示器保持部１８６が取り付けられる。表示器保持部１８６は、客用表示器１２１の背面に背面パネル１８８と隣接させて装着される回動部１８７を回動自在に保持する。こうして、客用表示器１２１は、ポール１５１の上端に回動自在に接続される。
【００２５】
アジャスタ１８５は、アウターポール１７１の細径部１７２の根元部分にネジ留めされる。アジャスタ１８５がネジ留めされた状態では、細径部１７２によるインナーポール１６１の位置保持がより強固なものとなる。アジャスタ１８５による位置保持は、ネジ留めを緩めることにより、解消される。
【００２６】
図４は、ポール１５１が伸状態である客用表示ユニット２０１を示す模式図である。図４では、一部を切り欠いて示している（図５も同様）。
【００２７】
アウターケーブル１６６に被覆されているインナーケーブル１６７の一方は、ＵＳＢケーブル１６７ａであり、他方は、電源ケーブル１６７ｂである。いずれのインナーケーブル１６７についても、客用表示器１２１側の端子１６８は、客用表示器１２１のコネクタ（図示せず）に接続されている。他方、本体１１１側の端子１６９は、本体１１１に設けられているコネクタ（図示せず）に接続されている。
【００２８】
回動部１８７には、ケーブル１６５の上端側を保持する上保持部１９１が設けられている。同様に、ポールベース１８１にも、ケーブル１６５の下端側を保持する下保持部１９２が設けられている。これにより、ケーブル１６５は抜け止めされる。
【００２９】
インナーポール１６１がアウターポール１７１に対して引き抜かれてポール１５１が伸びるに従って、スパイラル状のケーブル１６５も、その巻部分が互いに離反するようにして、図４に示すように全長が伸びる。
【００３０】
図５は、ポール１５１が縮状態である客用表示ユニット２０１を示す模式図である。インナーポール１６１がアウターポール１７１に対して差し込まれて、表示器保持部１８６がアジャスタ１８５に接触すると、インナーポール１６１の摺動は規制される。このようにしてインナーポール１６１の摺動が規制された状態が、ポール１５１が最も縮んだ縮状態である。
【００３１】
ポール１５１が縮状態となる際、ケーブル１６５はポール１５１に内包されたまま縮むだけであり、例えばストレート状のケーブルのように、ポール１５１の直下位置に垂れ下がってしまうことはない。よって、本体１１１にはケーブル１６５が垂れ下がるためのスペースは必要とされない。これにより、ポール１５１の直下位置にもＰＯＳ端末１０１が備える各部を配置することができ、ＰＯＳ端末１０１の本体１１１の薄型化を実現することができる。
【００３２】
また、ストレート状のケーブルの場合、ポール１５１の直下位置で垂れ下がった部分（図６（ｂ）参照）が引き伸ばされる際にポール１５１に引っ掛かってしまい、ポール１５１の摺動がスムーズに行われないおそれがある。しかし、本実施の形態のケーブル１６５は、ポール１５１の直下位置に垂れ下がることはないため、ポール１５１の摺動をスムーズに行うことができる。
【図面の簡単な説明】
【００３３】
【図１】ＰＯＳ端末を示す側面図である。
【図２】客用表示ユニットを示す斜視図である。
【図３】客用表示ユニットを示す分解斜視図である。
【図４】ポールが伸状態である客用表示ユニットを示す模式図である。
【図５】ポールが縮状態である客用表示ユニットを示す模式図である。
【図６】従来のＰＯＳ端末の一部を示す模式図である。
【符号の説明】
【００３４】
１０１…ＰＯＳ端末（商品販売データ処理装置）、１１０…本体ユニット、１１１…本体、１１２…キーボード（ユーザインターフェース）、１１３…オペレータ用表示器（ユーザインターフェース）、１２１…客用表示器（表示器）、１５１…ポール、１６１…インナーポール、１６５…ケーブル、１６６…アウターケーブル、１６７…インナーケーブル、１７１…アウターポール、２０１…客用表示ユニット（表示ユニット）
【図１】
2010113411.tif 000003
【図２】
2010113411.tif 000004
【図３】
2010113411.tif 000005
【図４】
2010113411.tif 000006
【図５】
2010113411.tif 000007
【図６】
2010113411.tif 000008